(57)【要約】【課題】初期化放電を安定化させることによって、良好な品質で画像表示させることができるプラズマディスプレイパネルの駆動方法を提供する。【解決手段】１フィールドを構成する各サブフィールドの初期化期間は、画像表示を行う全ての放電セルに対して初期化放電を行わせる全セル初期化期間、または直前のサブフィールドにおいて維持放電を行った放電セルに対して選択的に初期化放電を行わせる選択初期化期間のいずれかの動作を行い、全セル初期化期間につづく選択初期化期間に、走査電極に矩形波形電圧を印加して過剰な壁電圧を蓄積している放電セルに対して自己消去放電を発生させる異常電荷消去部を設けた。【選択図】図４
2006308626.tif 000002
【特許請求の範囲】
【請求項１】
走査電極および維持電極とデータ電極との交差部に放電セルを形成したプラズマディスプレイパネルの駆動方法であって、１フィールド中に全ての放電セルに対して初期化放電を発生させる全セル初期化期間を有するサブフィールドと、維持放電を発生した放電セルに対して選択的に初期化放電を発生させる選択初期化期間を有するサブフィールドとを有し、前記全セル初期化期間は、走査電極に上り傾斜波形電圧を印加して前記走査電極を陽極とし前記維持電極および前記データ電極を陰極とする第１の初期化放電を行う第１の初期化期間部と、前記走査電極に下り傾斜波形電圧を印加して前記走査電極を陰極とし前記維持電極および前記データ電極を陽極とする第２の初期化放電を行う第２の初期化期間部とで構成し、かつ前記全セル初期化期間を有するサブフィールドの直後の前記選択初期化期間を有するサブフィールドに、前記走査電極に矩形波電圧を印加する異常電荷消去部を配置することを特徴とするプラズマディスプレイパネルの駆動方法。
【請求項２】
１フィールドに複数の全セル初期化期間を有するサブフィールドが存在するとき、少なくとも１つの全セル初期化期間を有するサブフィールドの直後の選択初期化期間を有するサブフィールドに、異常電荷消去部を配置することを特徴とする請求項１記載のプラズマディスプレイパネルの駆動方法。
【請求項３】
１フィールド中の全セル初期化期間を有する複数のサブフィールドにおいて、維持パルス数が最も少ないサブフィールドの直後の選択初期化期間を有するサブフィールドに、異常電荷消去部を配置し、かつそれ以外の全セル初期化期間を有するサブフィールドに異常電荷消去部を配置することを特徴とする請求項１記載のプラズマディスプレイパネルの駆動方法。
【請求項４】
１フィールド中の最初の全セル初期化期間を有するサブフィールドの直後の選択初期化動作を行うサブフィールドに、異常電荷消去部を配置し、それ以降は、全セル初期化動作期間を有するサブフィールドに配置することを特徴とする請求項１記載のプラズマディスプレイパネルの駆動方法。
【発明の詳細な説明】
【技術分野】
【０００１】
本発明はプラズマディスプレイパネルの駆動方法に関する。
【背景技術】
【０００２】
プラズマディスプレイパネル（以下、「パネル」と略記する）として代表的な交流面放電型パネルは、対向配置された前面板と背面板との間に多数の放電セルが形成されている。前面板は、１対の走査電極と維持電極とからなる表示電極が前面ガラス基板上に互いに平行に複数対形成され、それら表示電極を覆うように誘電体層および保護層が形成されている。背面板は、背面ガラス基板上に複数の平行なデータ電極と、それらを覆うように誘電体層と、さらにその上にデータ電極と平行に複数の隔壁がそれぞれ形成され、誘電体層の表面と隔壁の側面とに蛍光体層が形成されている。そして、表示電極とデータ電極とが立体交差するように前面板と背面板とが対向配置されて密封され、内部の放電空間には放電ガスが封入されている。ここで表示電極とデータ電極とが対向する部分に放電セルが形成される。このような構成のパネルにおいて、各放電セル内でガス放電により紫外線を発生させ、この紫外線でＲＧＢ各色の蛍光体を励起発光させてカラー表示を行っている。
【０００３】
パネルを駆動する方法としては、サブフィールド法、すなわち、１フィールド期間を複数のサブフィールドに分割した上で、発光させるサブフィールドの組み合わせによって階調表示を行う方法が一般的である。また、サブフィールド法の中でも、階調表示に関係しない発光を極力減らして黒輝度の上昇を抑え、コントラスト比を向上した新規な駆動方法が特許文献１に開示されている。
【０００４】
以下にその駆動方法について簡単に説明する。各サブフィールドはそれぞれ初期化期間、書き込み期間および維持期間を有する。また、初期化期間は、画像表示を行うすべての放電セルに対して初期化放電を行わせる全セル初期化動作を行う全セル初期化期間、または直前のサブフィールドにおいて維持放電を行った放電セルに対して選択的に初期化放電を行わせる選択初期化動作を行う選択初期化期間を有する。
【０００５】
まず、全セル初期化期間では、すべての放電セルで一斉に初期化放電を行い、それ以前の個々の放電セルに対する壁電荷の履歴を消すとともに、続く書き込み動作のために必要な壁電荷を形成する。加えて、放電遅れを小さくし書き込み放電を安定して発生させるためのプライミング（放電のための起爆剤＝励起粒子）を発生させるという働きをもつ。続く書き込み期間では、走査電極に順次走査パルスを印加するとともに、データ電極には表示すべき画像信号に対応した書き込みパルスを印加し、走査電極とデータ電極との間で選択的に書き込み放電を起こし、選択的な壁電荷形成を行う。そして維持期間では、走査電極と維持電極との間に輝度重みに応じた所定の回数の維持パルスを印加し、書き込み放電による壁電荷形成を行った放電セルを選択的に放電させ発光させる。
【０００６】
このように、画像を正しく表示するためには書き込み期間における選択的な書き込み放電を確実に行うことが重要であるが、そのためには書き込み動作のための準備となる初期化動作を確実に行うことが重要となる。
【０００７】
一方、全セル初期化動作においては、走査電極を陽極とし維持電極およびデータ電極を陰極とする初期化放電を発生させる必要があるが、データ電極側には電子放出係数の小さい蛍光体が塗布されているため、データ電極を陰極とする初期化放電の放電遅れが大きくなり、初期化放電が不安定となることがあった。これにより、書き込み期間に書き込み不良を生じるおそれがある等、書き込み動作の駆動電圧マージンが狭くなった。
【０００８】
そのため、全セル初期化期間には、走査電極に矩形波形電圧を印加して過剰な壁電圧を蓄積している放電セルに対して自己消去放電を発生させる異常電荷消去部を設けて、この課題を改善していた。
【特許文献１】特開２０００−２４２２２４号公報
【発明の開示】
【発明が解決しようとする課題】
【０００９】
ところで、セルが長時間点灯しているとき、点灯中に発生したガスに含まれる不純物質が、隣接する不灯セルの走査電極や維持電極上に付着し、放電開始電圧が低下する場合がある。
【００１０】
これにより、全セル初期化期間の直後に配置された異常電荷消去部で、強放電が生じて自己消去放電が行われ、以降の書き込み動作を行うことができなくなり、画質を著しく悪化させる原因となった。
【００１１】
また、近年、パネルに封入されている放電ガスのキセノン分圧を増加させてパネルの発光効率を向上させる検討がなされているが、キセノン分圧を増加させると放電、特に放電開始電圧の低下が大きく、続く書き込み期間に書き込み不良を生じ、書き込み動作の駆動電圧マージンが狭くなる課題があった。
【００１２】
本発明は、これらの課題に鑑みなされたものであり、初期化放電を安定化させることによって、良質な品質で画像表示させることができるプラズマディスプレイパネルの駆動方法を提供することを目的とする。
【課題を解決するための手段】
【００１３】
本発明のプラズマディスプレイパネルの駆動方法は、走査電極および維持電極とデータ電極との交差部に放電セルを形成したプラズマディスプレイパネルの駆動方法であって、１フィールド中に全ての放電セルに対して初期化放電を発生させる全セル初期化期間を有するサブフィールドと、維持放電を発生した放電セルに対して選択的に初期化放電を発生させる選択初期化期間を有するサブフィールドとを有し、前記全セル初期化期間は、走査電極に上り傾斜波形電圧を印加して走査電極を陽極とし維持電極およびデータ電極を陰極とする第１の初期化放電を行う第１の初期化期間部と、走査電極に下り傾斜波形電圧を印加して走査電極を陰極とし維持電極およびデータ電極を陽極とする第２の初期化放電を行う第２の初期化期間部とで構成し、かつ全セル初期化期間を有するサブフィールドの直後の選択初期化期間を有するサブフィールドに、走査電極に矩形波電圧を印加する異常電荷消去部を配置することを特徴とする。
【００１４】
また、１フィールドに複数の全セル初期化期間を有するサブフィールドが存在するとき、少なくとも１つの全セル初期化期間を有するサブフィールドの直後の選択初期化期間を有するサブフィールドに、異常電荷消去部を配置することを特徴とする。
【００１５】
また、１フィールド中の全セル初期化期間を有する複数のサブフィールドにおいて、維持パルス数が最も少ないサブフィールドの直後の選択初期化期間を有するサブフィールドに、異常電荷消去部を配置し、かつそれ以外の全セル初期化期間を有するサブフィールドに異常電荷消去部を配置することを特徴とする。
【００１６】
また、１フィールド中の最初の全セル初期化期間を有するサブフィールドの直後の選択初期化期間を有するサブフィールドに、異常電荷消去部を配置し、それ以降は、全セル初期化期間を有するサブフィールドに配置することを特徴とする。
【００１７】
これにより、放電開始電圧が低下しても初期化放電を安定化させ、良好な品質で画像表示させることができるプラズマディスプレイパネルの駆動方法を提供することができる。
【発明の効果】
【００１８】
本発明によれば、初期化放電を安定化させることによって、良好な品質で画像表示させることができるプラズマディスプレイパネルの駆動方法を提供することが可能となる。
【発明を実施するための最良の形態】
【００１９】
以下、本発明の一実施の形態におけるプラズマディスプレイパネルの駆動方法について、図面を用いて説明する。
【００２０】
（実施の形態）
図１は本発明の一実施の形態に用いるパネルの要部を示す斜視図である。パネル１は、ガラス製の前面基板２と背面基板３とを対向配置して、その間に放電空間を形成するように構成されている。前面基板２上には表示電極を構成する走査電極４と維持電極５とが互いに平行に対をなして複数形成されている。そして、走査電極４および維持電極５を覆うように誘電体層６が形成され、誘電体層６上には保護層７が形成されている。保護層７としては安定した放電を発生させるために二次電子放出係数が大きくかつ耐スパッタ性の高い材料が望ましく、実施の形態においてはＭｇＯ薄膜が用いられている。
【００２１】
背面基板３上には絶縁体層８で覆われた複数のデータ電極９が付設され、データ電極９の間の絶縁体層８上にデータ電極９と平行して隔壁１０が設けられている。また、絶縁体層８の表面および隔壁１０の側面に蛍光体１１が設けられている。そして、走査電極４および維持電極５とデータ電極９とが交差する方向に前面基板２と背面基板３とを対向配置しており、その間に形成される放電空間には、放電ガスとしてたとえばネオンとキセノンの混合ガスが封入されている。本実施の形態においてはパネルの発光効率を向上させるために、パネルに封入されている放電ガスのキセノン分圧を１０％に増加させている。
【００２２】
図２は本発明の一実施の形態におけるパネルの電極配列図である。行方向にｎ本の走査電極ＳＣＮ１〜ＳＣＮｎ（図１の走査電極４）およびｎ本の維持電極ＳＵＳ１〜ＳＵＳｎ（図１の維持電極５）が交互に配列され、列方向にｍ本のデータ電極Ｄ１〜Ｄｍ（図１のデータ電極９）が配列されている。そして、１対の走査電極ＳＣＮｉおよび維持電極ＳＵＳｉ（ｉ＝１〜ｎ）と１つのデータ電極Ｄｊ（ｊ＝１〜ｍ）とが交差した部分に放電セルが形成され、放電セルは放電空間内にｍ×ｎ個形成されている。
【００２３】
図３は本発明の実施の形態におけるパネルの駆動方法を使用するプラズマディスプレイ装置の構成図である。このプラズマディスプレイ装置は、パネル１、データ電極駆動回路１２、走査電極駆動回路１３、維持電極駆動回路１４、タイミング発生回路１５、ＡＤ（アナログ・デジタル）変換器１８、走査数変換部１９、サブフィールド変換部２０、ＡＰＬ（アベレージ・ピクチャ・レベル）検出部２１および電源回路（図示せず）を備えている。
【００２４】
図３において、画像信号ｓｉｇはＡＤ変換器１８に入力される。また、水平同期信号Ｈおよび垂直同期信号Ｖはタイミング発生回路１５、ＡＤ変換器１８、走査数変換部１９、サブフィールド変換部２０に入力される。ＡＤ変換器１８は、画像信号ｓｉｇをデジタル信号の画像データに変換し、その画像データを走査数変換部１９およびＡＰＬ検出部２１に出力する。ＡＰＬ検出部３０は画像データの平均輝度レベルを検出する。走査数変換部１９は、画像データをパネル１の画素数に応じた画像データに変換し、サブフィールド変換部２０に出力する。サブフィールド変換部２０は、各画素の画像データを複数のサブフィールドに対応する複数のビットに分割し、サブフィールド毎の画像データをデータ電極駆動回路１２に出力する。データ電極駆動回路１２は、サブフィールド毎の画像データを各データ電極Ｄ１〜Ｄｍに対応する信号に変換し各データ電極を駆動する。
【００２５】
タイミング発生回路１５は、水平同期信号Ｈおよび垂直同期信号Ｖをもとにしてタイミング信号を発生し、各々走査電極駆動回路１３および維持電極駆動回路１４に出力する。走査電極駆動回路１３は、タイミング信号に基づいて走査電極ＳＣＮ１〜ＳＣＮｎに駆動波形を供給し、維持電極駆動回路１４は、タイミング信号に基づいて維持電極ＳＵＳ１〜ＳＵＳｎに駆動波形を供給する。ここで、タイミング回路はＡＰＬ検出部２１から出力されるＡＰＬに基づいて駆動波形を制御する。具体的には、ＡＰＬに基づいて１フィールドを構成する各々のサブフィールドの初期化動作を全セル初期化か選択初期化かのいずれかに決定し、かつ、異常電荷消去部を配置するサブフィールドを決定する。異常電荷消去部を配置するサブフィールドについては後ほど説明する。
【００２６】
つぎに、パネルを駆動するための駆動波形とその動作について説明する。実施の形態においては、１フィールドを１０のサブフィールド（第１ＳＦ、第２ＳＦ、・・・、第１０ＳＦ）に分割し、各サブフィールドはそれぞれ（１、２、３、６、１１、１８、３０、４４、６０、８０）の輝度重みをもつものとする。このように、後ろのサブフィールドほど輝度重みが大きくなるように構成している。
【００２７】
図４は本発明の実施の形態におけるプラズマディスプレイパネルの各電極に印加する駆動波形図であり、全セル初期化動作を行う初期化期間を有するサブフィールド（以下、「全セル初期化サブフィールド」と略記する）と選択初期化動作を行う初期化期間を有するサブフィールド（以下、「選択初期化サブフィールド」と略記する）に対する駆動波形図である。図４は説明のため第１ＳＦを全セル初期化サブフィールド、第２サブフィールドを選択初期化サブフィールドとして示している。
【００２８】
まず、全セル初期化サブフィールドの駆動波形とその動作について説明する。全セル初期化期間を以下のように、前半部、後半部の２つの期間に分けて説明する。
【００２９】
第１の初期化期間部である初期化期間の前半部では、維持電極ＳＵＳ１〜ＳＵＳｎおよびデータ電極Ｄ１〜Ｄｍを０（Ｖ）に保持し、走査電極ＳＣＮ１〜ＳＣＮｎに対して放電開始電圧以下となる電圧Ｖｐ（Ｖ）から放電開始電圧を超える電圧Ｖｒ（Ｖ）に向かって緩やかに上昇するランプ電圧を印加する。すると、走査電極ＳＣＮ１〜ＳＣＮｎを陽極とし維持電極ＳＵＳ１〜ＳＵＳｎおよびデータ電極Ｄ１〜Ｄｍを陰極とする微弱な初期化放電が発生する。こうして、全ての放電セルにおいて１回目の微弱な初期化放電を発生し、走査電極ＳＣＮ１〜ＳＣＮｎ上に負の壁電圧を蓄えるとともに維持電極ＳＵＳ１〜ＳＵＳｎ上およびデータ電極Ｄ１〜Ｄｍ上に正の壁電圧を蓄える。ここで、電極上の壁電圧とは、電極を覆う誘電体層あるいは蛍光体層上に蓄積した壁電荷により生じる電圧をあらわす。
【００３０】
第２の初期化期間部である初期化期間の後半部では、維持電極ＳＵＳ１〜ＳＵＳｎを正の電圧Ｖｈ（Ｖ）に保ち、走査電極ＳＣＮ１〜ＳＣＮｎに電圧Ｖｇ（Ｖ）から電圧Ｖａ（Ｖ）に向かって緩やかに下降するランプ電圧を印加する。すると、全ての放電セルにおいて、走査電極ＳＣＮ１〜ＳＣＮｎを陰極とし維持電極ＳＵＳ１〜ＳＵＳｎおよびデータ電極Ｄ１〜Ｄｍを陽極とする２回目の微弱な初期化放電を起こす。そして、走査電極ＳＣＮ１〜ＳＣＮｎ上の壁電圧および維持電極ＳＵＳ１〜ＳＵＳｎ上の壁電圧が弱められ、データ電極Ｄ１〜Ｄｍ上の壁電圧も書き込み動作に適した値に調整される。このように、全セル初期化サブフィールドの初期化動作は全ての放電セルにおいて初期化放電させる全セル初期化動作である。
【００３１】
次に、選択初期化サブフィールドの駆動波形とその動作について説明する。
【００３２】
初期化期間では、維持電極ＳＵＳ１〜ＳＵＳｎをＶｈ（Ｖ）に保持し、データ電極Ｄ１〜Ｄｍを０（Ｖ）に保持し、走査電極ＳＣＮ１〜ＳＣＮｎにＶｑ（Ｖ）からＶａ（Ｖ）に向かって緩やかに下降するランプ電圧を印加する。すると前のサブフィールドの維持期間で維持放電を行った放電セルでは、微弱な初期化放電が発生し、走査電極ＳＣＮ１上および維持電極ＳＵＳｉ上の壁電圧が弱められ、データ電極Ｄｋ上の壁電圧も書き込み動作に適した値に調整される。一方、前のサブフィールドで書き込み放電および維持放電を行わなかった放電セルについては放電することはなく、前のサブフィールドの初期化期間終了時における壁電荷状態がそのまま保たれる。このように、選択初期化サブフィールドの初期化動作は、前のサブフィールドで維持放電を行った放電セルにおいて初期化放電させる選択初期化動作である。
【００３３】
次に、異常電荷消去部では、再び維持電極ＳＵＳ１〜ＳＵＳｎを０（Ｖ）に戻す。そして、走査電極ＳＣＮ１〜ＳＣＮｎには放電開始電圧に満たない正の電圧Ｖｍ（Ｖ）を５〜２０μｓの間印加した後、３μｓ以下の短い時間負の電圧Ｖａ（Ｖ）を以下することにより矩形波電圧を印加する。この間、安定した初期化放電を行った放電セルにおいては放電は発生せず、壁電圧も初期化期間後半部の状態を保持する。しかしながら、走査電極ＳＣＮｉ上に正の異常な壁電荷が蓄積している放電セルに対しては、走査電極ＳＣＮ１〜ＳＣＮｎに電圧Ｖｍ（Ｖ）印加すると放電開始電圧を超えるので強い放電が発生し走査電極ＳＣＮｉ上の壁電圧が反転する。そして走査電極ＳＣＮ１〜ＳＣＮｎに幅の細い負のパルス電圧Ｖａ（Ｖ）を印加すると自己消去放電が発生し放電セル内部の壁電圧が消去される。
【００３４】
次に、書き込み期間では、走査電極ＳＣＮ１〜ＳＣＮｎを一旦Ｖｓ（Ｖ）に保持する。つぎに、データ電極Ｄ１〜Ｄｍのうち、１行目に表示すべき放電セルのデータ電極Ｄｋに正の書き込みパルス電圧Ｖｗ（Ｖ）を印加するとともに、１行目の走査電極ＳＣＮ１に走査パルス電圧Ｖｂ（Ｖ）を印加する。このとき、データ電極Ｄｋと走査電極ＳＣＮ１との交差部の電圧は、外部印加電圧（Ｖｗ−Ｖｂ）にデータ電極Ｄｋ上の壁電圧および走査電極ＳＣＮ１上の壁電圧の大きさが加算されたものとなり、放電開始電圧を超える。そして、データ電極Ｄｋと走査電極ＳＣＮ１との間および維持電極ＳＵＳ１と走査電極ＳＣＮ１との間に書き込み放電が起こり、この放電セルの走査電極ＳＣＮ１上に正の壁電圧が蓄積され、維持電極ＳＵＳ１上に負の壁電圧が蓄積され、データ電極Ｄｋ上にも負の壁電圧が蓄積される。このようにして、１行目に表示すべき放電セルで書き込み放電を起こして各電極上に壁電圧を蓄積する書き込み動作が行われる。
【００３５】
一方、正の書き込みパルス電圧Ｖｗ（Ｖ）を印加しなかったデータ電極と走査電極ＳＣＮ１との交差部の電圧は放電開始電圧を超えないので、書き込み放電は発生しない。また、初期化期間の異常電荷消去部で放電を起こした放電セルはデータ電極上の壁電圧も消去されているため書き込み放電が発生しない。以上の書き込み動作をｎ行目の放電セルに至るまで順次行い、書き込み期間が終了する。
【００３６】
次に、維持期間では、まず、維持電極ＳＵＳ１〜ＳＵＳｎを０（Ｖ）に戻し、走査電極ＳＣＮ１〜ＳＣＮｎに正の維持パルス電圧Ｖｍ（Ｖ）を印加する。このとき、書き込み放電を起こした放電セルにおいては、走査電極ＳＣＮｉ上と維持電極ＳＵＳｉ上との間の電圧は、維持パルス電圧Ｖｍ（Ｖ）に走査電極ＳＣＮｉ上および維持電極ＳＵＳｉ上の壁電圧の大きさが加算されたものとなり放電開始電圧を超える。そして、走査電極ＳＣＮｉと維持電極ＳＵＳｉとの間に維持放電が起こり、走査電極ＳＣＮｉ上に負の壁電圧が蓄積され、維持電極ＳＵＳｉ上に正の壁電圧が蓄積される。このときデータ電極Ｄｋ上にも正の壁電圧が蓄積される。書き込み期間において書き込み放電が起きなかった放電セルでは維持放電は発生せず、初期化期間の終了時における壁電圧状態が保持される。
【００３７】
続いて、走査電極ＳＣＮ１〜ＳＣＮｎを０（Ｖ）に戻し、維持電極ＳＵＳ１〜ＳＵＳｎに正の維持パルス電圧Ｖｍ（Ｖ）を印加する。すると、維持放電を起こした放電セルでは、維持電極ＳＵＳｉ上と走査電極ＳＣＮｉ上との間の電圧は放電開始電圧を超えるので、再び維持電極ＳＵＳｉと走査電極ＳＣＮｉとの間に維持放電が起こり、維持電極ＳＵＳｉ上に正の壁電圧が蓄積され走査電極ＳＣＮｉ上に正の壁電圧が蓄積される。
【００３８】
以降同様に、走査電極ＳＣＮ１〜ＳＣＮｎと維持電極ＳＵＳ１〜ＳＵＳｎとに交互に維持パルスを印加することにより、書き込み期間において書き込み放電を起こした放電セルでは維持放電が継続して行われる。なお、維持期間の最後には走査電極ＳＣＮ１〜ＳＣＮｎと維持電極ＳＵＳ１〜ＳＵＳｎとの間にいわゆる細幅パルスを印加して、データ電極Ｄｋ上の正の壁電荷を残したまま、走査電極ＳＣＮ１〜ＳＣＮｎおよび維持電極ＳＵＳ１〜ＳＵＳｎ上の壁電圧を消去している。こうして維持期間における維持動作が終了する。
【００３９】
ところで、図５に示すように、全セル初期化期間の直後に異常電荷消去部を配置させると、放電開始電圧を超えてしまい自己消去放電によって壁電荷を放出してしまい、続く書き込み期間で書き込み動作を行うことができなくなってしまう。
【００４０】
これは、隣接セルが点灯した場合、そこから漏れ出たガスに含まれた不純物が保護層７に付着し、放電開始電圧が低下することが原因である。
【００４１】
そこで、全セル初期化期間のサブフィールドに配置されていた異常電荷消去部を、その直後にある選択初期化サブフィールドに配置することによって、書き込み不良を防ぐことができる。これにより、全セル初期化サブフィールドの維持期間では維持パルス電圧Ｖｍ（Ｖ）を印加することで誤って維持放電が生じてしまうが、その後、選択初期化サブフィールドの初期化動作によって初期化される。ここで重要なのは、この維持放電によって、保護層７に付着していた不純物が再びガスとなって拡散して除去され、低下していた放電開始電圧が増加することである。これにより、安定した初期化動作が行われ、後に異常電荷消去部を配置させても自己消去放電が生じることなく、つづく書き込み期間では正常な書き込み動作を行うことができる。その一方で、走査電極ＳＣＮｉ上に正の異常な壁電荷が蓄積したままの放電セルに対しては、自己消去放電が発生し放電セル内部の壁電圧が消去されるため、従来の駆動方法の効果も持続させたままである。
【００４２】
また、保護層７に不純物が付着し、放電開始電圧が低下して不具合を生じさせるためには、長時間にわたって隣接セルが点灯する必要がある。そのため、異常電荷消去部を選択初期化サブフィールドに配置して、付着した不純物を取り除く頻度は少なくてすむ。
【００４３】
つまり、全セル初期化期間を有するサブフィールドに異常電荷消去部を配置したものと、全セル初期化期間を有するサブフィールドの直後の選択初期化サブフィールドに異常電荷消去部を配置したものを混在させ、誤って維持放電するサブフィールドを維持パルス数の少ないサブフィールドに割り当てることができる。これによって、このときの発光を抑えることができ、かつ、一度誤点灯するとその後長時間安定した放電が得られるため、画質を劣化させることはなくなる。
【００４４】
図６は、全セル初期化期間と異常電荷消去部を配置するサブフィールドの配置例を示す図である。図６においては、１フィールドを１２サブフィールド（１ＳＦ〜１２ＳＦ）で構成し、Ａのパターンでは、１ＳＦと４ＳＦと７ＳＦに全セル初期化期間を設け、異常電荷消去部は全セル初期化期間を設けた１ＳＦの次の２ＳＦと、次に全セル初期化期間を設けた４ＳＦおよび７ＳＦとに配置している。また、Ｂのパターンでは、１ＳＦと５ＳＦに全セル初期化期間を設け、異常電荷消去部は、１ＳＦの次の２ＳＦと、次に全セル初期化期間を設けた５ＳＦとに配置している。また、Ｃのパターンでは、１ＳＦのみに全セル初期化期間を設け、異常電荷消去部はその１ＳＦの次の２ＳＦに配置している。
【産業上の利用可能性】
【００４５】
本発明のプラズマディスプレイパネルの駆動方法は、安定した高速書き込みが可能であり、かつ黒輝度の上昇を抑えたプラズマディスプレイパネルの駆動が可能となり、プラズマディスプレイパネルを用いた画像表示装置等として有用である。
【図面の簡単な説明】
【００４６】
【図１】本発明の一実施の形態によるプラズマディスプレイパネルの駆動方法に用いるパネルの要部を示す斜視図
【図２】同パネルの電極配列図
【図３】本発明の一実施の形態における駆動方法を実現するプラズマディスプレイ装置の構成図
【図４】本発明の一実施の形態において、パネルの各電極に印加する駆動波形図
【図５】本発明の比較例において、パネルの各電極に印加する駆動波形図
【図６】本発明の駆動方法において、全セル初期化期間と異常電荷消去部の配置例を示す説明図
【符号の説明】
【００４７】
ＳＵＳ１〜ＳＵＳｎ  維持電極
Ｄ１〜Ｄｍ  データ電極
ＳＣＮ１〜ＳＣＮｎ  走査電極
【図１】
2006308626.tif 000003
【図２】
2006308626.tif 000004
【図３】
2006308626.tif 000005
【図４】
2006308626.tif 000006
【図５】
2006308626.tif 000007
【図６】
2006308626.tif 000008